(57)【要約】【課題】管理者がいつでも簡単にデータ入力画面および帳票を作成できる帳票自動作成システムおよび方式を提供する。【解決手段】利用者端末３０と管理者端末２０と帳票自動作成サーバ１０とそれらを接続する通信ネットワーク５０とで帳票自動作成システム１を構成し、管理者端末２０はワープロソフト、表計算ソフトの少なくともいずれかで作成された帳票レイアウトと専用のデータ配置識別情報とから構成された帳票フォーマット情報を入力し、帳票自動作成サーバ１０は、それに基づいて、データ入力画面１７と帳票レイアウト１６と帳票入力データ格納部２０５の格納領域を作成し、利用者端末３０から入力した帳票入力データを帳票入力データ格納領域に格納し、帳票レイアウト１６を読み出して、対応する帳票入力データを帳票レイアウト１６にはめ込んで帳票を作成する。【選択図】図１
2006024021.tif 000002
【特許請求の範囲】
【請求項１】
通信ネットワークと、該通信ネットワークを介して接続される管理者端末、利用者端末、および帳票を作製する帳票自動作成サーバとからなる帳票自動作成システムであって、
前記管理者端末は、作成する帳票のフォーマットを示す帳票フォーマット情報であって、帳票レイアウトと該帳票レイアウトに配置された識別子に対応して該レイアウト位置に入力される内容が記述されるデータ配置識別情報とから構成される前記帳票フォーマット情報を、前記帳票自動作成サーバに送信し、前記帳票自動作成サーバが作成した帳票を表示し、
前記利用者端末は前記帳票自動作成サーバに前記帳票に入力する帳票入力データを送信し、
前記帳票自動作成サーバは、
前記管理者端末から入力された前記帳票フォーマット情報に基づいて、データ入力画面レイアウトと帳票レイアウトとを作成してそれぞれを格納し、該帳票の帳票入力データ格納領域を帳票入力データ格納部に作成する帳票フォーマット作成手段と、
前記利用者端末から入力された前記帳票入力データを前記帳票入力データ格納領域に格納する帳票入力データ受入手段と、
前記帳票レイアウトを読み出して、対応する前記帳票入力データを該帳票レイアウトにはめ込んで帳票情報を作成する帳票作成出力手段とを備える、帳票自動作成システム。
【請求項２】
前記帳票フォーマット情報は、ワープロソフト、表計算ソフトの少なくともいずれかで作成される、請求項１に記載の帳票自動作成システム。
【請求項３】
通信ネットワークと、該通信ネットワークを介して接続される管理者端末、利用者端末、および帳票自動作成サーバとからなる帳票自動作成システムにおける帳票自動作成方法であって、
前記帳票自動作成サーバが帳票フォーマット登録画面を管理者端末に送信するステップと、
前記管理者端末から、ワープロソフト、表計算ソフトの少なくともいずれかで作成された帳票レイアウトと、該帳票レイアウトに配置された識別子に対応して該レイアウト位置に入力される内容が記述されるデータ配置識別情報とから構成される帳票フォーマット情報を、前記帳票フォーマット登録画面に載せて前記帳票自動作成サーバに送信するステップと、
前記帳票自動作成サーバが、前記帳票フォーマット情報に含まれる前記帳票レイアウトから、データ入力画面のレイアウトを生成し、前記帳票フォーマット情報に含まれる前記データ配置識別情報から前記データ入力画面の入力欄を生成して、データ入力画面レイアウト格納部に格納するステップと、
前記帳票自動作成サーバが、前記帳票フォーマット情報に含まれる前記帳票レイアウトから、帳票レイアウトを生成して、帳票レイアウト格納部に格納するステップと、
前記帳票自動作成サーバが、前記データ配置識別情報から、帳票入力データ情報を格納する領域を帳票入力データ格納部に作成するステップと、
前記帳票自動作成サーバが、前記データ入力画面を前記利用者端末に送信するステップと、
前記利用者端末が、帳票入力データ情報を前記データ入力画面に入力して前記帳票自動作成サーバに送信するステップと、
前記帳票自動作成サーバが、前記帳票入力データ情報を解析して、帳票入力データを前記帳票入力データ格納部に保存するステップと、
前記管理者端末が、前記帳票自動作成サーバに帳票の提示を要求するステップと、
前記帳票自動作成サーバが、前記帳票レイアウト格納部から読み出した前記帳票レイアウトに前記帳票入力データ格納部から読み出した対応する入力データをはめ込んで帳票情報を生成するステップと、
前記帳票自動作成サーバが、前記帳票情報を前記管理者端末に送信し、該管理者端末が該帳票情報を画面に表示するステップとを含む、帳票自動作成方法。
【請求項４】
通信ネットワークと、該通信ネットワークを介して接続される管理者端末、利用者端末、および帳票自動作成サーバとからなる帳票自動作成システムの前記帳票自動作成サーバであって、
前記管理者端末から入力された帳票フォーマット情報であって、ワープロソフト、表計算ソフトの少なくともいずれかで作成された帳票レイアウトと、該帳票レイアウトに配置された識別子に対応して該レイアウト位置に入力される内容が記述されるデータ配置識別情報とから構成された前記帳票フォーマット情報に基づいて、データ入力画面レイアウトと帳票レイアウトとを作成し、該帳票の帳票入力データ格納領域を帳票入力データ格納部に作成する帳票フォーマット作成手段と、
前記利用者端末から入力した帳票入力データを前記帳票入力データ格納領域に格納する帳票入力データ受入手段と、
前記帳票レイアウトを読み出して、対応する前記帳票入力データを前記帳票レイアウトにはめ込んで帳票情報を作成する帳票作成出力手段とを備える、帳票自動作成サーバ。
【請求項５】
前記通信ネットワークと接続する入力部と出力部、データ処理装置、および記憶部を備え、
前記データ処理装置は、格納されている帳票フォーマット登録画面を送信する帳票フォーマット登録画面送信部、前記管理者端末から受理した帳票フォーマット情報に基づいてデータ入力画面レイアウトを作成するデータ入力画面レイアウト作成部、前記帳票フォーマット情報に基づいて帳票レイアウトを作成する帳票レイアウト作成部、前記帳票フォーマット情報に基づいて帳票入力データ格納領域を作成する帳票入力データ格納領域作成部、前記利用者端末に前記データ入力画面レイアウトを送信する画面レイアウト送信部、前記利用者端末から受理した帳票入力データを解析して所定の領域に格納する帳票入力データ解析格納処理部、前記管理者端末からの帳票出力要求に対応する前記帳票レイアウトを読み出す帳票レイアウト読み出し部、および読み出した前記帳票レイアウトに対応する前記帳票入力データを読み出してはめ込んで帳票情報を作成する帳票入力データはめ込み部を有し、
前記記憶部は、予め作成された帳票フォーマット登録画面を格納する帳票フォーマット登録画面格納部、前記データ入力画面レイアウト作成部で作成された前記データ入力画面レイアウトを格納するデータ入力画面レイアウト格納部、前記帳票レイアウト作成部で作成された前記帳票レイアウトを格納する帳票レイアウト格納部、および前記利用者端末より入力した前記帳票入力データを格納する帳票入力データ格納部を有し、
前記帳票フォーマット登録画面送信部、前記データ入力画面レイアウト作成部、前記帳票レイアウト作成部、前記帳票入力データ格納領域作成部、前記帳票フォーマット登録画面格納部、前記データ入力画面レイアウト格納部、前記帳票レイアウト格納部、および前記帳票入力データ格納部は前記帳票フォーマット作成手段を構成し、前記画面レイアウト送信部、および前記帳票入力データ解析格納処理部は前記帳票入力データ受入手段を構成し、前記帳票レイアウト読み出し部、および前記帳票入力データはめ込み部は前記帳票作成出力手段を構成する、請求項３に記載の帳票自動作成サーバ。
【請求項６】
記録媒体を備え、前記各部の動作は、前記記録媒体に記録された帳票自動作成プログラムにより制御できる、請求項４または請求項５に記載の帳票自動作成サーバ。
【請求項７】
入力された帳票フォーマット情報からデータ入力画面レイアウトと帳票レイアウトの作成、および帳票入力データ格納配置設計を行い、入力された帳票入力データを解析して該帳票入力データを所定の領域に格納し、読み出した前記帳票レイアウトに対応する前記帳票入力データをはめ込んで作成した帳票情報を出力するための動作をコンピュータシステムに実行させる制御プログラムを記録した記録媒体であって、
入力された帳票フォーマット情報であって、ワープロソフト、表計算ソフトの少なくともいずれかで作成された帳票レイアウトと、該帳票レイアウトに配置された識別子に対応して該レイアウト位置に入力される内容が記述されるデータ配置識別情報とから構成された前記帳票フォーマット情報から前記データ入力画面レイアウトと前記帳票レイアウトの作成、および前記帳票入力データ格納領域作成を行う手順と、
入力された帳票入力データを解析して帳票入力データ格納部の所定の領域に格納する手順と、
読み出した前記帳票レイアウトに、対応する前記帳票入力データをはめ込んで作成した帳票情報を出力する手順と、をコンピュータシステムに実行させるためのプログラムを記録した機械読み取り可能な記録媒体。
【請求項８】
入力された帳票フォーマット情報からデータ入力画面レイアウトと帳票レイアウトを作成し、入力された帳票入力データを格納して前記帳票レイアウトと組み合わせて帳票情報を作成する帳票自動作成装置であって、
入力された帳票フォーマット情報であって、ワープロソフト、表計算ソフトの少なくともいずれかで作成された帳票レイアウトと、該帳票レイアウトに配置された識別子に対応して該レイアウト位置に入力される内容が記述されるデータ配置識別情報とから構成された前記帳票フォーマット情報に基づいて、データ入力画面レイアウトと帳票レイアウトとを作成し、帳票入力データ格納部に該帳票の帳票入力データ格納領域を作成する帳票フォーマット作成手段と、
入力された前記帳票入力データを前記帳票入力データ格納領域に格納する帳票データ受入手段と、
前記帳票レイアウトを読み出して、対応する前記帳票入力データを該帳票レイアウトにはめ込んで帳票情報を作成する帳票作成出力手段とを備える、帳票自動作成装置。
【請求項９】
操作者入力部を含む入力部、画像表示部を含む出力部、データ処理装置、および記憶部を備え、
前記データ処理装置は、格納されている帳票フォーマット登録画面を送信する帳票フォーマット登録画面送信部、前記管理者端末から受理した帳票フォーマット情報に基づいてデータ入力画面レイアウトを作成するデータ入力画面レイアウト作成部、前記帳票フォーマット情報に基づいて帳票レイアウトを作成する作成帳票レイアウト作成部、前記帳票フォーマット情報に基づいて帳票入力データ格納領域を作成する帳票入力データ格納領域作成部、前記利用者端末に前記データ入力画面レイアウトを送信する画面レイアウト送信部、前記利用者端末から受理した帳票入力データを解析して所定の領域に格納する帳票入力データ解析格納処理部、前記管理者端末からの要求に対応する前記帳票レイアウトを読み出す帳票レイアウト読み出し部、読み出した前記帳票レイアウトに対応する前記帳票入力データを読み出してはめ込んで帳票情報を作成する帳票入力データはめ込み部を有し、
前記記憶部は、予め作成された帳票フォーマット登録画面を格納する帳票フォーマット登録画面格納部、前記データ入力画面レイアウト作成部で作成された前記データ入力画面レイアウトを格納するデータ入力画面レイアウト格納部、前記帳票レイアウト作成部で作成された前記帳票レイアウトを格納する帳票レイアウト格納部、前記利用者端末より入力した前記帳票入力データを格納する帳票入力データ格納部を有し、
前記帳票フォーマット登録画面送信部、前記データ入力画面レイアウト作成部、前記帳票レイアウト作成部、前記帳票入力データ格納領域作成部、前記帳票フォーマット登録画面格納部、前記データ入力画面レイアウト格納部、前記帳票レイアウト格納部、前記帳票入力データ格納部は前記帳票フォーマット作成手段を構成し、前記画面レイアウト送信部、前記帳票入力データ解析格納処理部は前記帳票入力データ受入手段を構成し、前記帳票レイアウト読み出し部、前記帳票入力データはめ込み部は前記帳票作成出力手段を構成する、請求項８に記載の帳票自動作成装置。
【発明の詳細な説明】
【技術分野】
【０００１】
本発明は帳票自動作成システムに関し、特に従来の帳票からＷｅｂ上で利用できるデータ入力画面と帳票レイアウトを生成する帳票自動作成サーバに関する。
【背景技術】
【０００２】
従来、人事管理、受注管理、生産管理などの様々な場面において紙の帳票が使用されている。紙により運用されている各種帳票のレイアウトは、ワープロソフトや表計算ソフトで作成されている場合が多い。これらの帳票をシステム化し、Ｗｅｂ上で入力、公開、配布しようとした場合に、システム専用の帳票レイアウト作成ツールにより帳票レイアウト及びデータ配置を設計することとなるが、この作業には多大な工数がかかるという問題があった。これらを解決するために帳票の定義ファイルを別途作成し、登録する方法もあるが、高度な技術が必要で利用者が制限されてしまうという問題があった。
【０００３】
このため、余り経験のないユーザでも容易に画面帳票定義体が作成できる手段が工夫されて開示されている（特許文献１参照）。ここではレイアウト情報や項目情報が格納された連係情報ファイルを設けて、処理装置の定義体自動生成部にそれぞれがプログラムで構成されて帳票作成ツール、画面作成ツールである、妥当性チェック手段、画面帳票設計手段、画面帳票定義体作成手段が設けられている。
【０００４】
図１０は、従来例の画面および帳票の自動作成方法を有する帳票作成システムを示す模式的ブロック構成図である。図１０に示されるように、従来の帳票作成システムは、管理者端末９２０と、利用者端末９３０と、帳票９６を作成する帳票作成サーバ９１０と、入力画面９７を作成する画面作成ツール９１４と、帳票作成ツール９１５とから構成され、帳票作成サーバ９１０にはデータ格納部９０５が設けられている。これらの管理者端末９２０、利用者端末９３０およびサーバ９１０はプログラム制御により動作し、インターネット等の通信ネットワーク９５０を介して相互に接続されている。
【０００５】
管理者はあらかじめ、画面作成ツール９１４と帳票作成ツール９１５を使用して画面と帳票レイアウトを作成する。この作成工数が大きいことから、特許文献２に開示されているような専用のオブジェクト定義ファイルを作成する方法で作成工数を減らすことが行われている。
【特許文献１】特開平０６−０１９６９５号公報
【特許文献２】特開平１１−１６１４８０号公報
【発明の開示】
【発明が解決しようとする課題】
【０００６】
しかしながら、これらの従来の方法は複雑な定義ファイルの構造を理解する必要があることや、すべてをテキストファイルで作成するため直感的に理解しづらいという問題があった。
【０００７】
そこで、本発明の目的は、管理者がいつでも簡単にデータ入力画面および帳票を作成できる帳票自動作成システムおよび方式を提供することにある。
【課題を解決するための手段】
【０００８】
本発明の帳票自動作成システムは、
通信ネットワークと、その通信ネットワークを介して接続される管理者端末、利用者端末、および帳票を作成する帳票自動作成サーバとからなる帳票自動作成システムであって、管理者端末は、作成する帳票のフォーマットを示す帳票フォーマット情報であって、帳票レイアウトと、その帳票レイアウトに配置された識別子に対応してそのレイアウト位置に入力される内容が記述されるデータ配置識別情報とから構成される帳票フォーマット情報を帳票自動作成サーバに送信し、帳票自動作成サーバが作成した帳票を表示し、利用者端末は帳票に入力する帳票入力データを帳票自動作成サーバに送信し、帳票自動作成サーバは、管理者端末から入力された帳票フォーマット情報に基づいて、データ入力画面レイアウトと帳票レイアウトとを作成してそれぞれを格納し、その帳票の帳票入力データ格納領域を帳票入力データ格納部に作成する帳票フォーマット作成手段と、利用者端末から入力された帳票入力データを帳票入力データ格納領域に格納する帳票入力データ受入手段と、帳票レイアウトを読み出して、対応する帳票入力データをその帳票レイアウトにはめ込んで帳票情報を作成する帳票作成出力手段とを備える。帳票フォーマット情報は、ワープロソフト、表計算ソフトの少なくともいずれかで作成されることが望ましい。
【０００９】
本発明の帳票自動作成方法は、
通信ネットワークと、その通信ネットワークを介して接続される管理者端末、利用者端末、および帳票自動作成サーバとからなる帳票自動作成システムにおける帳票自動作成方法であって、帳票自動作成サーバが帳票フォーマット登録画面を管理者端末に送信するステップと、管理者端末から、ワープロソフト、表計算ソフトの少なくともいずれかで作成された帳票レイアウトと、その帳票レイアウトに配置された識別子に対応してそのレイアウト位置に入力される内容が記述されるデータ配置識別情報とから構成される帳票フォーマット情報を、帳票フォーマット登録画面に載せて帳票自動作成サーバに送信するステップと、帳票自動作成サーバが、帳票フォーマット情報に含まれる帳票レイアウトから、データ入力画面のレイアウトを生成し、帳票フォーマット情報に含まれるデータ配置識別情報からデータ入力画面の入力欄を生成して、データ入力画面レイアウト格納部に格納するステップと、帳票自動作成サーバが、帳票フォーマット情報に含まれる帳票レイアウトから、帳票レイアウトを生成して、帳票レイアウト格納部に格納するステップと、帳票自動作成サーバが、データ配置識別情報から、帳票入力データ情報を格納する領域を帳票入力データ格納部に作成するステップと、帳票自動作成サーバが、データ入力画面を利用者端末に送信するステップと、利用者端末が、帳票入力データ情報をデータ入力画面に入力して帳票自動作成サーバに送信するステップと、帳票自動作成サーバが、帳票入力データ情報を解析して、帳票入力データを帳票入力データ格納部に保存するステップと、管理者端末が、帳票自動作成サーバに帳票の提示を要求するステップと、帳票自動作成サーバが、帳票レイアウト格納部から読み出した帳票レイアウトに帳票入力データ格納部から読み出した対応する入力データをはめ込んで帳票情報を生成するステップと、帳票自動作成サーバが、帳票情報を管理者端末に送信し、その管理者端末が帳票情報を画面に表示するステップとを含む。
【００１０】
本発明の帳票自動作成サーバは、
通信ネットワークと、その通信ネットワークを介して接続される管理者端末、利用者端末、および帳票自動作成サーバとからなる帳票自動作成システムの帳票自動作成サーバであって、管理者端末から入力された帳票フォーマット情報であって、ワープロソフト、表計算ソフトの少なくともいずれかで作成された帳票レイアウトと、その帳票レイアウトに配置された識別子に対応してそのレイアウト位置に入力される内容が記述されるデータ配置識別情報とから構成された帳票フォーマット情報に基づいて、データ入力画面レイアウトと帳票レイアウトとを作成し、その帳票の帳票入力データ格納領域を帳票入力データ格納部に作成する帳票フォーマット作成手段と、利用者端末から入力した帳票入力データを帳票入力データ格納領域に格納する帳票入力データ受入手段と、帳票レイアウトを読み出して、対応する帳票入力データを帳票レイアウトにはめ込んで帳票情報を作成する帳票作成出力手段とを備える。また他の態様では記録媒体を備え、各部の動作は、記録媒体に記録された帳票自動作成プログラムにより制御できてもよい。
【００１１】
本発明の制御プログラムを記録した記録媒体は、
入力された帳票フォーマット情報からデータ入力画面レイアウトと帳票レイアウトの作成、および帳票入力データ格納配置設計を行い、入力された帳票入力データを解析してその帳票入力データを所定の領域に格納し、読み出した帳票レイアウトに対応する帳票入力データをはめ込んで作成した帳票情報を出力するための動作をコンピュータシステムに実行させる制御プログラムを記録した記録媒体であって、入力された帳票フォーマット情報であって、ワープロソフト、表計算ソフトの少なくともいずれかで作成された帳票レイアウトと、その帳票レイアウトに配置された識別子に対応してそのレイアウト位置に入力される内容が記述されるデータ配置識別情報とから構成された帳票フォーマット情報からデータ入力画面レイアウトと帳票レイアウトの作成、および帳票入力データ格納領域作成を行う手順と、入力された帳票入力データを解析して帳票入力データ格納部の所定の領域に格納する手順と、読み出した帳票レイアウトに、対応する帳票入力データをはめ込んで作成した帳票情報を出力する手順と、をコンピュータシステムに実行させるためのプログラムを記録した機械読み取り可能な記録媒体である。
【００１２】
本発明の帳票自動作成装置は、
入力された帳票フォーマット情報からデータ入力画面レイアウトと帳票レイアウトを作成し、入力された帳票入力データを格納して帳票レイアウトと組み合わせて帳票情報を作成する帳票自動作成装置であって、入力された帳票フォーマット情報であって、ワープロソフト、表計算ソフトの少なくともいずれかで作成された帳票レイアウトと、その帳票レイアウトに配置された識別子に対応してそのレイアウト位置に入力される内容が記述されるデータ配置識別情報とから構成された帳票フォーマット情報に基づいて、データ入力画面レイアウトと帳票レイアウトとを作成し、帳票入力データ格納部にその帳票の帳票入力データ格納領域を作成する帳票フォーマット作成手段と、入力された帳票入力データを帳票入力データ格納領域に格納する帳票データ受入手段と、帳票レイアウトを読み出して、対応する帳票入力データをその帳票レイアウトにはめ込んで帳票情報を作成する帳票作成出力手段とを備える。
【００１３】
本発明では、ワープロソフトや表計算ソフトで作成された従来の帳票に、専用のデータ配置識別情報を直接挿入して生成されたファイルを、本発明の装置に登録することにより、ワープロソフトや表計算ソフトで作成されたレイアウト情報と専用のデータ配置識別情報を自動的に判別し、利用者がデータを入力するデータ入力画面と、帳票レイアウト情報を生成し、利用者により入力されたデータと帳票レイアウト情報とからなる出力用の帳票情報を作成することにより、帳票作成を自動化し、短期間で帳票を作成するシステムと方法と装置が提供される。
【発明の効果】
【００１４】
本発明には、次のような効果がある。即ち、
第１の効果は、ワープロソフトや表計算ソフトで作成された従来の帳票に、専用のデータ配置識別情報を直接挿入し、生成されたファイルを、本発明の装置に登録することにより、ワープロソフトや表計算ソフトで作成されたレイアウト情報と専用のデータ配置識別情報を自動的に判別し、利用者がデータを入力する画面と、帳票レイアウトを作成するようにしたことにより、多大な工数をかけることなくデータ入力画面と帳票レイアウトが作成できることにある。
【００１５】
第２の効果は、専用のデータ格納部を持つことにより、利用者が入力情報を送信した時点で、サーバ内に入力データが保存されるため、帳票の入力データを一覧表作成や集計、分析など２次的に利用できることにある。
【００１６】
第３の効果は、専用のデータ格納部を持つことにより、利用者が入力情報を送信した時点で、帳票レイアウト情報のどこにデータを出力するかを判別できるようにしたため、帳票レイアウト情報と利用者により入力されたデータからなる帳票を容易に作成できることにある。
【００１７】
第４の効果は、専用のデータ格納部を持つことにより、利用者が必要な都度入力情報を送信する代わりに、逐次入力した入力情報を一括してサーバ内に保存することができるようにしたため、大量の帳票を簡単に作成できることにある。
【００１８】
第５の効果は、通信ネットワーク上にサーバを設置することにより、管理者が帳票フォーマット情報を登録することによって入力用の画面とデータ格納部を提供できるようにしたため、通信ネットワークを介したアンケートやその集計等を簡単に実施できることにある。
【発明を実施するための最良の形態】
【００１９】
次に、本発明の実施の形態について図面を参照して説明する。図１は、本発明の第１の実施の形態の帳票自動作成システムの模式的ブロック構成図であり、本発明の帳票自動作成システム１は、中核となる帳票自動作成サーバ１０と、管理者端末２０と、利用者端末３０と、これらと接続して情報を伝達する通信ネットワーク５０とから構成される。管理者端末２０と利用者端末３０とは、それぞれ1個のみ表示されているが目的やシステムの構成に対応して複数設けられてもよい。これらの帳票自動作成サーバ１０、管理者端末２０、および利用者端末３０はプログラム制御により動作する。
【００２０】
本発明では、ワープロソフトや表計算ソフトで作成されたレイアウトを使用した従来の帳票からＷｅｂ上で利用できるデータ入力画面と帳票レイアウトを生成する方法を提供し、帳票入力データは、随時取り出し可能に帳票入力データ格納部の所定の領域に格納されている。
【００２１】
管理者端末２０は、管理者が操作するパーソナルコンピュータ等の情報処理装置であり、帳票自動作成サーバ１０が提供している帳票フォーマット登録画面にアクセスして、通信ネットワーク５０を介して帳票フォーマット情報を帳票自動作成サーバ１０に送信する機能を備えている。帳票フォーマット情報には、ワープロソフトや表計算ソフトで作成された帳票のレイアウトと、該帳票レイアウトに配置された識別子に対応してそのレイアウト位置に入力される内容が記述されるデータ配置識別情報とが含まれている。データ配置識別情報は、項目名、データ形式などの情報を含み、データ識別タグを付したテキスト、画像、ハイパーリンクなどで構成される。また、管理者端末２０は、帳票自動作成サーバ１０が提供している帳票出力画面にアクセスし、帳票情報を画面に表示させる機能を備えている。帳票情報としては、例えば、人事考課帳票、顧客名簿帳票、商品帳票等に関する情報があり、氏名、所属、考課結果、年齢、性別、商品名、価格等の情報が含まれる。
【００２２】
利用者端末３０は、利用者が帳票にデータを入力するパーソナルコンピュータ等の情報処理装置であり、帳票自動作成サーバ１０が提供しているデータ入力画面１７にアクセスし、利用者の操作により、通信ネットワーク５０を介して帳票入力データ情報を帳票自動作成サーバ１０に送信する機能を備えている。帳票入力データ情報としては、考課結果、氏名、住所、年齢、性別、商品名、価格等の情報が含まれる。
【００２３】
帳票自動作成サーバ１０は、帳票フォーマット登録画面を格納しており、管理者が帳票フォーマット登録画面に入力した帳票フォーマット情報からその帳票フォーマットに対応したデータ入力画面１７と帳票レイアウト１６と帳票入力データ格納部２０５の格納領域を設定し、利用者端末３０でデータ入力画面１７に入力された帳票入力データを解析して帳票入力データ格納部２０５の所定の領域に格納し、管理者端末２０からの要求により対応する帳票入力データを対応する帳票レイアウト１６にはめ込んで帳票情報として出力する。
【００２４】
図２は、本実施の形態の帳票自動作成サーバのブロック構成図である。帳票自動作成サーバ１０は通信ネットワーク５０上に設置されているワークステーション・サーバ等の情報処理装置であり、入力部１０１、データ処理装置１０２、記憶部１０３、出力部１０４を備え、入力部１０１と出力部１０４は通信ネットワーク５０と接続する。必要に応じて、不図示のマイク、ユーザ入力部、画像表示部、スピーカを備え、マイクから音声を、ユーザ入力部からオペレータの指示を入力でき、データを画像表示部に表示し、スピーカから音声が発信されてもよい。
【００２５】
データ処理装置１０２は、中央処理装置１１０、帳票フォーマット登録画面要求受理部１１１、帳票フォーマット登録画面送信部１１２、帳票フォーマット情報受理部１１３、データ入力画面レイアウト作成部１１４、帳票レイアウト作成部１１５、帳票入力データ格納領域作成部１１６、データ入力画面出力要求受理部１２１、画面レイアウト送信部１２２、帳票入力データ受理部１２３、帳票入力データ解析格納処理部１２４、帳票出力要求受理部１３１、帳票レイアウト読み出し部１３２、帳票入力データはめ込み部１３３、帳票画面出力部１３４を有する。
【００２６】
記憶部１０３は、帳票フォーマット登録画面格納部２０１、帳票フォーマット情報格納部２０２、データ入力画面レイアウト格納部２０３、帳票レイアウト格納部２０４、帳票入力データ格納部２０５を有する。帳票フォーマット情報格納部２０２は除くことができる。
【００２７】
帳票フォーマット登録画面要求受理部１１１、帳票フォーマット登録画面送信部１１２、帳票フォーマット情報受理部１１３、データ入力画面レイアウト作成部１１４、帳票レイアウト作成部１１５、帳票入力データ格納領域作成部１１６、帳票フォーマット登録画面格納部２０１、帳票フォーマット情報格納部２０２、データ入力画面レイアウト格納部２０３、帳票レイアウト格納部２０４、帳票入力データ格納部２０５は帳票フォーマット作成部１１を構成し、データ入力画面出力要求受理部１２１、画面レイアウト送信部１２２、帳票入力データ受理部１２３、帳票入力データ解析格納処理部１２４は帳票入力データ受入部１２を構成し、帳票出力要求受理部１３１、帳票レイアウト読み出し部１３２、帳票入力データはめ込み部１３３、帳票画面出力部１３４は帳票作成出力部１３を構成する。
【００２８】
帳票自動作成サーバ１０は、帳票のレイアウトとデータ入力画面レイアウトとを作成する機能と、帳票に記入される入力データを受け入れる機能と、帳票のレイアウトと受け入れて格納しているデータから帳票を作成して出力する機能を有する。
【００２９】
帳票フォーマット作成部１１では、作成を要求される帳票フォーマットの登録画面が帳票フォーマット登録画面格納部２０１に格納されている。帳票フォーマット登録画面要求受理部１１１が、管理者端末２０から帳票フォーマット登録画面提示の要求を受けると帳票フォーマット登録画面送信部１１２に通知する。帳票フォーマット登録画面送信部１１２は、登録画面提示の要求を受けると、帳票フォーマット登録画面格納部２０１から帳票フォーマット登録画面を読み出して管理者端末２０に出力する。帳票フォーマット情報受理部１１３は、帳票フォーマット登録画面に入力された帳票のレイアウトと専用のデータ配置識別情報を含む帳票フォーマット情報を管理者端末２０から受理すると、帳票フォーマット情報格納部２０２に格納するとともにデータ入力画面レイアウト作成部１１４と帳票レイアウト作成部１１５と帳票入力データ格納領域作成部１１６とに通知する。後に使用する必要がなければ帳票フォーマット情報格納部２０２への格納は行わなくてもよい。帳票フォーマット情報には、ワープロソフトや表計算ソフトで作成された帳票のレイアウトと、該帳票レイアウトに配置された識別子に対応してそのレイアウト位置に入力される内容が記述されるデータ配置識別情報とが含まれている。
【００３０】
データ入力画面レイアウト作成部１１４は、受信した帳票フォーマット情報に含まれる帳票のレイアウトから、データ入力画面のレイアウトを生成し、受信した帳票フォーマット情報に含まれる専用のデータ配置識別情報から、データ入力画面の入力欄を生成してデータ入力画面レイアウト格納部２０３に格納する。帳票レイアウト作成部１１５は、受信した帳票フォーマット情報に含まれる帳票のレイアウトから帳票レイアウト７０を生成して帳票レイアウト格納部２０４に格納する。また、帳票入力データ格納領域作成部１１６は、受信した帳票フォーマット情報に含まれる専用のデータ配置識別情報から、帳票入力データを格納する領域を帳票入力データ格納部２０５に作成する。
【００３１】
帳票入力データ受入部１２では、データ入力画面出力要求受理部１２１が、利用者端末３０からデータ入力のためにデータ入力画面の出力要求を受けると画面レイアウト送信部１２２に通知する。画面レイアウト送信部１２２は、データ入力画面提示の要求を受けると、データ入力画面レイアウト格納部２０３から対応するデータ入力画面レイアウトを読み出して利用者端末３０に出力する。帳票入力データ受理部１２３はデータ入力画面に入力された帳票入力データを利用者端末３０から受理すると帳票入力データ解析格納処理部１２４に通知する。帳票入力データ解析格納処理部１２４は、受信したデータ入力画面に入力されている帳票入力データを解析して帳票入力データを帳票入力データ格納部２０５の所定の領域に格納する。
【００３２】
帳票作成出力部１３では、帳票出力要求受理部１３１が、管理者端末２０から指定された帳票の出力要求を受けると帳票レイアウト読み出し部１３２に通知する。帳票レイアウト読み出し部１３２は、帳票の出力要求を受けると、帳票レイアウト格納部２０４から指定された帳票の帳票レイアウトを読み出して帳票入力データはめ込み部１３３に伝送する。帳票入力データはめ込み部１３３は帳票レイアウトに対応する帳票入力データを帳票入力データ格納部２０５の対応する領域から読み出して、帳票レイアウトにはめ込んで帳票画面出力部１３４に伝送する。帳票画面出力部１３４は帳票入力データのはめ込まれた帳票レイアウトを帳票情報として、要求のあった管理者端末２０に出力する。
【００３３】
次に、本発明の第１の実施の形態の帳票自動作成システムの帳票自動作成方法について図面を参照して説明する。図３は第１の実施の形態の帳票自動作成システムの帳票自動作成方法を説明するフローチャートであり、図４は帳票フォーマット登録画面の１例を示す模式図、図５は帳票フォーマット情報入力の１例を示す模式図で、（ａ）は帳票レイアウトを示し、（ｂ）はデータ配置識別情報を示す。図６はデータ入力画面レイアウトの模式図であり、図７はデータ入力画面入力例を示す模式図である。
【００３４】
まず、管理者は、管理者端末２０より、帳票自動作成サーバ１０にアクセスする（図２のステップＳ１１）。これに応答して、帳票自動作成サーバ１０は、帳票フォーマット登録画面を管理者端末２０に送信する（ステップＳ１２）。
【００３５】
管理者端末２０では、例えば図４に示す帳票フォーマット登録画面が表示され、管理者は、あらかじめ作成しておいた帳票レイアウトとデータ配置識別情報とから構成される帳票フォーマット情報を帳票フォーマット登録画面に載せて送信する。（ステップＳ１３）。例えば、図５に示すような帳票レイアウトおよびデータ配置識別情報を帳票フォーマット情報として送信する。
【００３６】
帳票自動作成サーバ１０は、管理者端末２０から送信された帳票フォーマット情報を受信すると、帳票フォーマット情報に含まれる帳票のレイアウトから、データ入力画面レイアウト作成部１１４により、データ入力画面１７のレイアウトを生成する。さらに、帳票自動作成サーバ１０は、受信した帳票フォーマット情報に含まれるデータ配置識別情報からデータ入力画面１７の入力欄を生成する（ステップＳ１４）。さらに、帳票自動作成サーバ１０は、帳票フォーマット情報に含まれる帳票のレイアウトから、帳票レイアウト作成部１１５により、帳票レイアウト１６を生成する。（ステップＳ１５）。さらに、帳票自動作成サーバ１０は、受信した帳票フォーマット情報に含まれるデータ配置識別情報から帳票入力データ情報を格納する領域を、帳票入力データ格納部２０５に作成する（ステップＳ１６）。ここまでが帳票フォーマット作成プロセスである。
【００３７】
次に、利用者は、利用者端末３０より、帳票自動作成サーバ１０にアクセスする（ステップＳ２１）。これに応答して、帳票自動作成サーバ１０は、データ入力画面１７を利用者端末３０に送信する（ステップＳ２２）。
【００３８】
利用者端末３０には、図６に示すデータ入力画面１７が表示され、利用者は、帳票入力データ情報を送信する（ステップＳ２３）。例えば、図７に示すように、データ入力画面１７上にある「実施日」、「氏名」、「所属」、「評価」の入力欄に入力データを入力し、「登録」ボタンをマウスでクリックすると入力データとして帳票自動作成サーバ１０に送信される。
【００３９】
帳票自動作成サーバ１０は、利用者端末３０から送信された帳票入力データを受信すると、帳票入力データを解析して、帳票入力データを帳票入力データ格納部２０５の所定の領域に保存する（ステップＳ２４）。ここまでが帳票データ入力プロセスである。
【００４０】
次に、管理者は、管理者端末２０より、帳票自動作成サーバ１０にアクセスし、帳票を要求する（ステップＳ３１）。これに応答して、帳票自動作成サーバ１０は、帳票レイアウト格納部２０４から読み出した帳票レイアウト１６に帳票入力データ格納部２０５から読み出した帳票入力データをはめ込んで帳票情報を生成する（ステップＳ３２）。さらに、帳票自動作成サーバ１０は、帳票情報をデータとして管理者端末２０に送信する（ステップＳ３３）。管理者端末２０では、帳票情報を受信すると、これを画面に表示する（ステップＳ３４）。
【００４１】
次に、本発明の第２の実施の形態の帳票自動作成システムと帳票自動作成方法について図面を参照して説明する。図８は本発明の第２の実施の形態の帳票自動作成システムの帳票自動作成サーバの模式的ブロック構成図である。第２の実施の形態の帳票自動作成システムの帳票自動作成サーバ６０は第１の実施の形態の帳票自動作成サーバ１０にデータ処理装置１０２と接続する記録媒体１０５が設けられた以外は第１の実施の形態と同じ構成で同じ動作を行うので同一の符号を付して同一部分の説明は省略する。記録媒体１０５には各部の動作を制御できる本発明の帳票自動作成システムの制御プログラムが記録されており、ＦＤ，ＣＤ−ＲＯＭ、半導体メモリ等が用いられる。
【００４２】
入力された帳票フォーマット情報からデータ入力画面レイアウトと帳票レイアウトの作成、および帳票入力データ格納領域作成を行い、入力した帳票入力データを解析して帳票入力データを所定の領域に格納し、読み出した帳票レイアウトに対応する帳票入力データをはめ込んで作成した帳票情報を画面に出力するための制御プログラムは、記録媒体１０５からデータ処理装置１０２に読み込まれてデータ処理装置１０２の動作を制御する。データ処理装置１０２は制御プログラムの制御により、
１）入力された帳票フォーマット情報からデータ入力画面レイアウトと帳票レイアウトの作成、および帳票入力データ格納領域作成を行う処理と、
２）入力した帳票入力データを解析して帳票入力データ格納部の所定の領域に格納する処理と、
３）読み出した帳票レイアウトに、対応する帳票入力データをはめ込んで作成した帳票画面を出力する処理と、を実行する。
【００４３】
次に、本発明の第３の実施の形態の帳票自動作成装置について図面を参照して説明する。図９は本発明の第３の実施の形態の帳票自動作成装置の模式的ブロック構成図である。第１および第２の実施の形態では帳票自動作成サーバと管理者端末と利用者端末とが通信ネットワークで接続されて帳票自動作成システムが構成されていたが、第３の実施の形態では帳票自動作成装置７０のみにより帳票の自動作成が実行される。
【００４４】
帳票自動作成装置７０はパソコン、ワークステーション等の情報処理装置であり、入力部７０１、データ処理装置７０２、記憶部７０３、出力部７０４、操作者入力部７０５、および画像表示部７０６を備え、キーボードやマウスなどから構成される操作者入力部７０５から操作者の指示を入力でき、データが画像表示部７０６に表示される。
【００４５】
データ処理装置７０２は、中央処理装置７１０、帳票フォーマット登録画面要求受理部７１１、帳票フォーマット登録画面送信部７１２、帳票フォーマット情報受理部７１３、データ入力画面レイアウト作成部７１４、帳票レイアウト作成部７１５、帳票入力データ格納領域作成部７１６、データ入力画面出力要求受理部７２１、画面レイアウト送信部７２２、帳票入力データ受理部７２３、帳票入力データ解析格納処理部７２４、帳票出力要求受理部７３１、帳票レイアウト読み出し部７３２、帳票入力データはめ込み部７３３、帳票画面出力部７３４を有する。
【００４６】
記憶部７０３は、帳票フォーマット登録画面格納部８０１、帳票フォーマット情報格納部８０２、データ入力画面レイアウト格納部８０３、帳票レイアウト格納部８０４、帳票入力データ格納部８０５を有する。帳票フォーマット情報格納部８０２は除かれてもよい。
【００４７】
帳票フォーマット登録画面要求受理部７１１、帳票フォーマット登録画面送信部７１２、帳票フォーマット情報受理部７１３、データ入力画面レイアウト作成部７１４、帳票レイアウト作成部７１５、帳票入力データ格納領域作成部７１６、帳票フォーマット登録画面格納部８０１、帳票フォーマット情報格納部８０２、データ入力画面レイアウト格納部８０３、帳票レイアウト格納部８０４、帳票入力データ格納部８０５は帳票フォーマット作成部７１を構成し、データ入力画面出力要求受理部７２１、画面レイアウト送信部７２２、帳票入力データ受理部７２３、帳票入力データ解析格納処理部７２４は帳票入力データ受入部７２を構成し、帳票出力要求受理部７３１、帳票レイアウト読み出し部７３２、帳票入力データはめ込み部７３３、帳票画面出力部７３４は帳票作成出力部７３を構成する。
【００４８】
帳票自動作成装置７０は、帳票のフォーマットとデータ入力画面レイアウトを作成する機能と、帳票に記入される帳票入力データを受け入れる機能と、帳票のフォーマットと受け入れて格納している帳票入力データから帳票情報を作成して出力する機能を有する。
【００４９】
帳票フォーマット作成部７１では、作成を予定される帳票フォーマットの登録画面が帳票フォーマット登録画面格納部８０１に格納されている。帳票フォーマット登録画面要求受理部７１１が、操作者入力部７０５から帳票フォーマット登録画面提示の要求を受けると帳票フォーマット登録画面送信部７１２に通知する。帳票フォーマット登録画面送信部７１２は、登録画面提示の要求を受けると、帳票フォーマット登録画面格納部８０１から対応する帳票フォーマット登録画面を読み出して画像表示部７０６に出力する。帳票フォーマット情報受理部７１３は帳票フォーマット登録画面に入力された帳票のレイアウトと専用のデータ配置識別情報を含む帳票フォーマット情報を操作者入力部７０５から受理すると帳票フォーマット情報格納部８０２に格納するとともにデータ入力画面レイアウト作成部７１４と帳票レイアウト作成部７１５と帳票入力データ格納領域作成部７１６とに通知する。帳票フォーマット情報には、ワープロソフトや表計算ソフトで作成された帳票のレイアウトと、その帳票レイアウトに配置された識別子に対応してそのレイアウト位置に入力される内容が記述されるデータ配置識別情報とが含まれている。
【００５０】
データ入力画面レイアウト作成部７１４は、受信した帳票フォーマット情報に含まれる帳票のレイアウトから、データ入力画面のレイアウトを生成し、受信した帳票フォーマット情報に含まれる専用のデータ配置識別情報から、データ入力画面の入力欄を生成してデータ入力画面レイアウト格納部８０３に格納する。帳票レイアウト作成部７１５は、受信した帳票フォーマット情報に含まれる帳票のレイアウトから帳票レイアウトを生成して帳票レイアウト格納部８０４に格納する。また、帳票入力データ格納領域作成部７１６は、受信した帳票フォーマット情報に含まれる専用のデータ配置識別情報から、帳票入力データを格納する領域を帳票入力データ格納部８０５に作成する。
【００５１】
帳票入力データ受入部７２では、データ入力画面出力要求受理部７２１が、操作者入力部７０５からデータ入力のためにデータ入力画面の出力要求を受けると画面レイアウト送信部７２２に通知する。画面レイアウト送信部７２２は、データ入力画面提示の要求を受けると、データ入力画面レイアウト格納部８０３から対応するデータ入力画面レイアウトを読み出して画像表示部７０６に表示する。帳票入力データ受理部７２３はデータ入力画面に入力された帳票入力データを操作者入力部７０５から受理すると帳票入力データ解析格納処理部７２４に通知する。帳票入力データ解析格納処理部７２４は、受信したデータ入力画面に入力されている帳票入力データを解析して帳票入力データを帳票入力データ格納部８０５の所定の領域に格納する。
【００５２】
帳票作成出力部７３では、帳票出力要求受理部７３１が、操作者入力部７０５から指定された帳票の出力要求を受けると帳票レイアウト読み出し部７３２に通知する。帳票レイアウト読み出し部７３２は、帳票の出力要求を受けると、帳票レイアウト格納部８０４から指定された帳票の帳票レイアウトを読み出して帳票入力データはめ込み部７３３に伝送する。帳票入力データはめ込み部７３３は帳票レイアウトに対応する帳票入力データを帳票入力データ格納部８０５の対応する領域から読み出して帳票レイアウトにはめ込んで帳票画面出力部７３４に伝送する。帳票画面出力部７３４は帳票入力データのはめ込まれた帳票レイアウトを帳票データとして、画像表示部７０６に出力して帳票画像を表示する。
【００５３】
次に、本発明の第３の実施の形態の帳票自動作成装置帳票自動作成方法について図面を参照して説明する。作成方法の流れは図３の第１の実施の形態の帳票自動作成システムの帳票自動作成方法を説明するフローチャートにおける管理者端末２０および利用者端末３０を、その動作の内容によって帳票自動作成装置７０の操作者入力部７０５および画像表示部７０６に読み替えたものであり、図３を参照して説明する。ステップ番号も図３を準用する。図４の帳票フォーマット登録画面の１例を示す模式図、図５の帳票フォーマット情報入力の１例を示す模式図、図６のデータ入力画面レイアウトの模式図、図７のデータ入力画面入力例を示す模式図は、第３の実施の形態でも準用される。
【００５４】
まず、管理者は、操作者入力部７０５より帳票自動作成装置７０にアクセスする（図２のステップＳ１１）。これに応答して、帳票自動作成装置７０は、帳票フォーマット登録画面を画像表示部７０６に表示する。（ステップＳ１２）。画像表示部７０６では、例えば図４に示す帳票フォーマット登録画面が表示され、管理者は、操作者入力部７０５によって、あらかじめ作成しておいた帳票フォーマット情報を帳票フォーマット登録画面に入力する（ステップＳ１３）。例えば、図５に示すように帳票レイアウトおよび専用のデータ配置識別情報を帳票フォーマット情報として入力する。ここでは、ワープロソフトや表計算ソフトで作成された従来の帳票の中にすみつき括弧で囲んだｄａｔａ１、ｄａｔａ２等をハイパーリンクとして仮定し、その内容をハイパーリンクのリンク先にデータ配置識別情報として記述する。
【００５５】
帳票フォーマット情報受理部７１３に、操作者入力部７０５から帳票フォーマット情報が入力されると、データ入力画面レイアウト作成部７１４が、帳票フォーマット情報に含まれる帳票のレイアウトから、データ入力画面のレイアウトを生成し、受信した帳票フォーマット情報に含まれる専用のデータ配置識別情報からデータ入力画面の入力欄を生成する（ステップＳ１４）。さらに、帳票レイアウト作成部７１５が、帳票フォーマット情報に含まれる帳票のレイアウトから、帳票レイアウトを生成する。（ステップＳ１５）。さらに、帳票入力データ格納領域作成部７１６が、受信した帳票フォーマット情報に含まれる専用のデータ配置識別情報から帳票入力データ情報を格納する領域を、帳票入力データ格納部８０５に作成する（ステップＳ１６）。ここまでが帳票フォーマット作成プロセスである。
【００５６】
次に、利用者が、操作者入力部７０５により、帳票自動作成装置７０にアクセスする（ステップＳ２１）。これに応答して、帳票自動作成装置７０は、データ入力画面を画像表示部７０６に表示する（ステップＳ２２）。画像表示部７０６には、図６に示すデータ入力画面が表示され、利用者は、操作者入力部７０５により帳票入力データ情報を入力する（ステップＳ２３）。例えば、図７に示すように、データ入力画面上にある「実施日」、「氏名」、「所属」、「評価」の入力欄に帳票入力データを入力し、「登録」ボタンをマウスでクリックすると帳票入力データが入力される。帳票入力データ受理部７２３に帳票入力データが入力すると、帳票入力データ解析格納処理部７２４が帳票入力データを解析して、帳票入力データを帳票入力データ格納部８０５に保存する（ステップＳ２４）。ここまでが帳票データ入力プロセスである。
【００５７】
次に、管理者は、入力者操作部７０５より、帳票を要求する（ステップＳ３１）。これに応答して、帳票作成出力部７３は、帳票レイアウト格納部８０４から読み出した帳票レイアウトに帳票入力データ格納部８０５から読み出した対応する帳票入力データをはめ込んで帳票情報を生成して（ステップＳ３２）、画像表示部７０６に表示する（ステップＳ３３、３４）。
【００５８】
これまで、帳票情報としては、例として人事考課帳票、顧客名簿帳票、商品帳票等に関する情報を対象として説明してきたが、本発明の帳票自動作成システムによれば、データ入力画面、帳票レイアウト、帳票入力データ格納部を活用して企業、公共機関などの各種申請、台帳、名簿などの各種帳票を作成する用途にも適用でき、自動生成されたデータ入力画面により入力された情報を一覧表作成や集計、分析など２次的に利用することもできる。また、通信ネットワーク上で帳票作成サービスを提供し、利用枚数や人数などにより依頼者より料金を徴収するサービスの提供にも適用できる。さらに、通信ネットワーク上でアンケートや市場調査を行う場合に調査票の作成に適用し、帳票入力データ格納部を利用して入力したデータを格納することにより、より迅速なサービスの提供を行うことができる。
【図面の簡単な説明】
【００５９】
【図１】本発明の第１の実施の形態の帳票自動作成システムの模式的ブロック構成図である。
【図２】本実施の形態の帳票自動作成サーバのブロック構成図である。
【図３】第１の実施の形態の帳票自動作成システムの帳票自動作成方法を説明するフローチャートである。
【図４】帳票フォーマット登録画面の１例を示す模式図である。
【図５】帳票フォーマット情報入力の１例を示す模式図である。（ａ）は帳票レイアウトを示す。（ｂ）はデータ配置識別情報を示す。
【図６】データ入力画面レイアウトの模式図である。
【図７】データ入力画面入力例を示す模式図である。
【図８】本発明の第２の実施の形態の帳票自動作成システムの帳票自動作成サーバの模式的ブロック構成図である。
【図９】本発明の第３の実施の形態の帳票自動作成装置の模式的ブロック構成図である。
【図１０】従来例の画面および帳票の自動作成方法を有する帳票作成システムを示す模式的ブロック構成図である。
【符号の説明】
【００６０】
１    帳票自動作成システム
９    帳票作成システム
１０、６０    帳票自動作成サーバ
１１    帳票フォーマット作成部
１２    帳票入力データ受入部
１３    帳票作成出力部
１６    帳票レイアウト
１７    データ入力画面
２０、９２０    管理者端末
３０、９３０    利用者端末
５０、９５０    通信ネットワーク
７０    帳票自動作成装置
９６    帳票
９７    入力画面
１０１、７０１    入力部
１０２、７０２    データ処理装置
１０３、７０３    記憶部
１０４、７０４    出力部
１０５    記録媒体
１１１、７１１    帳票フォーマット登録画面要求受理部
１１２、７１２    帳票フォーマット登録画面送信部
１１３、７１３    帳票フォーマット情報受理部
１１４、７１４    データ入力画面レイアウト作成部
１１５、７１５    帳票レイアウト作成部
１１６、７１６    帳票入力データ格納領域作成部
１２１、７２１    データ入力画面出力要求受理部
１２２、７２２    画面レイアウト送信部
１２３、７２３    帳票入力データ受理部
１２４、７２４    帳票入力データ解析格納処理部
１３１、７３１    帳票出力要求受理部
１３２、７３２    帳票レイアウト読み出し部
１３３、７３３    帳票入力データはめ込み部
１３４、７３４    帳票画面出力部
２０１、８０１    帳票フォーマット登録画面格納部
２０２、８０２    帳票フォーマット情報格納部
２０３、８０３    データ入力画面レイアウト格納部
２０４、８０４    帳票レイアウト格納部
２０５、８０５    帳票入力データ格納部
７０５    操作者入力部
７０６    画像表示部
９０５    データ格納部
９１４    画面作成ツール
９１５    帳票作成ツール
Ｓ１１〜Ｓ１６、Ｓ２１〜Ｓ２４、Ｓ３１〜Ｓ３４    ステップ
【図１】
2006024021.tif 000003
【図２】
2006024021.tif 000004
【図３】
2006024021.tif 000005
【図４】
2006024021.tif 000006
【図５】
2006024021.tif 000007
【図６】
2006024021.tif 000008
【図７】
2006024021.tif 000009
【図８】
2006024021.tif 000010
【図９】
2006024021.tif 000011
【図１０】
2006024021.tif 000012